(57)【要約】【課題】構造が単純であるが、床下の湿気を強力に排除でき、消費電力も低減できる床下送風乾燥機を提供する。【解決手段】固定板１に回転軸が水平になるように取り付けられるモータと、モータの回転軸に取り付けられるファンと、ファンの周囲を覆い、吸気口と排気口とを有するファンケースと、モータおよびファンケースを覆い、固定台２に固定されるカバーとを有し、カバーの上面および下面に空気導入口を設け、モータの回転軸に平行なカバーの前面および後面に排風口を設け、かつファンケースの吸気口とカバーの空気導入口とを連通し、ファンケースの排気口とカバーの排風口とを連通した床下送風乾燥機。【選択図】  図１
2005090791.tif 000002
【特許請求の範囲】
【請求項１】
機台に回転軸が水平になるように取り付けられるモータと、前記モータの前記回転軸に取り付けられるファンと、前記ファンの周囲を覆い、吸気口と排気口とを有するファンケースと、前記モータおよび前記ファンケースを覆い、前記機台に固定されるカバーとを有し、前記カバーの上面および下面に空気導入口を設け、前記モータの前記回転軸に平行なカバーの前面および後面に排風口を設け、かつ前記ファンケースの吸気口と前記カバーの空気導入口とを連通し、前記ファンケースの排気口と前記カバーの排風口とを連通したことを特徴とする床下送風乾燥機。
【請求項２】
前記ファンは、シロッコファンである請求項１記載の床下送風乾燥機。
【請求項３】
前記ファンケースの吸気口にフィルタを着脱可能に設けたことを特徴とする請求項１または２記載の床下送風乾燥機。
【請求項４】
前記モータの回転軸の両端に前記ファンを取り付け、それぞれのファンの周囲に前記ファンケースを設けたことを特徴とする請求項１から３のいずれかの項に記載の床下送風乾燥機。
【請求項５】
前記機台の底部を、床下の床面に対して前記カバーの底部が所定の距離を隔てて位置するように固定ブロックに取り付けたことを特徴とする請求項１から４のいずれかの項に記載の床下送風乾燥機。
【発明の詳細な説明】
【技術分野】
【０００１】
本発明は、家屋の床下に空気の流れを作って床下の土や床コンクリートを乾燥するための床下送風乾燥機に関する。
【背景技術】
【０００２】
家屋の床下が湿っていると、畳や押し入れの中がじめじめしたり、床が浮き上がったりして、快適な居住が阻害される。床下の湿気をそのままにしていると、床下が結露し、土や床下コンクリートがいつも濡れた状態になり、カビの繁殖が盛んになる。カビが繁殖すると、シロアリやムカデが住み着きやすくなり、大切な家屋が損傷を受けたり寿命が短くなったりする。床下の湿気は、日当たりや風通しが悪かったり、水分の多い土地に立てた家屋で発生することが多い。
【０００３】
このような床下の湿気を除去して乾燥するために、例えば特開平７−５５２１７号公報（特許文献１）には、床下に空気撹拌装置本体の上部に送風装置用モータを設け、その下にシロッコファンのような送風装置を設け、その送風装置の周囲を回転自在のファンケーシングで囲み、そのファンケーシングに吹き出し口を設け、ファンケーシングをその下部に設けた旋回駆動用モータにより毎分２〜３回転で回転させるようにした空気撹拌装置が開示されている。
【０００４】
また、特開２００１−２９５７９６号公報（特許文献２）には、上部シャーシと、下部シャーシとを複数の結合棒で間隔を置いて対峙させて空域を形成し、この空域にモータにより駆動されるファンを配設し、ファンの周囲に排気口を有するファンカバーを配設し、前記下部シャーシの外面に前記モータの回転軸と結合させたギヤ手段を設け、モータが回転すると前記ギヤ手段を介して前記ファンカバーを全方位または所定角度回転させ、乾燥した空気の排出位置を変化させることで、床下内の空気を撹拌するようにした床下換気用送風機が開示されている。
【０００５】
さらには、特開平９−２２２２５１号公報（特許文献３）には、屋外の空気を吸気口から吸気し送風する送風手段と、送風手段が送風する送風経路中に設けた加熱手段と、空気を床下に送風する排気管と、外気の湿度を検知する検知手段の検知湿度に応じて加熱手段への通電を制御する制御手段とを備えた換気除湿装置が開示されている。
【０００６】
【特許文献１】特開平７−５５２１７号公報
【特許文献２】特開２００１−２９５７９６号公報
【特許文献３】特開平９−２２２２５１号公報
【発明の開示】
【発明が解決しようとする課題】
【０００７】
前掲の特許文献１に開示された装置は、床下に送風する際に、ファンケーシングを毎分２〜３回転させることにより、風の向きを変化させて床下内の空気の撹拌を行い、乾燥を促進するものであるが、送風装置を駆動する送風装置用モータとファンケーシングを駆動する旋回駆動用モータの２つのモータが必要となり、構造が複雑になってコストが嵩むと共に、消費電力も大きくなるという問題がある。
【０００８】
また特許文献２に開示された装置では、送風機駆動用のモータを用いてギヤ手段によりファンカバーを回転させる構造となっているため、構造が複雑であり、コストも嵩むという問題がある。
【０００９】
さらに、特許文献３に開示された換気除湿装置では、加熱手段と湿度検知手段を用い、湿度に応じて加熱手段への通電を制御しているため、制御回路が必要になると共に、加熱手段への通電を行うため消費電力も大きくなるという問題がある。
【００１０】
本発明は、構造が単純であるが、床下の湿気を強力に排除でき、消費電力も低減できる床下送風乾燥機を提供することを目的とする。
【課題を解決するための手段】
【００１１】
前記課題を解決するため、本発明の第１の構成に係る床下送風乾燥機は、機台に回転軸が水平になるように取り付けられるモータと、前記モータの前記回転軸に取り付けられるファンと、前記ファンの周囲を覆い、吸気口と排気口とを有するファンケースと、前記モータおよび前記ファンケースを覆い、前記機台に固定されるカバーとを有し、前記カバーの上面および下面に空気導入口を設け、前記モータの前記回転軸に平行なカバーの前面および後面に排風口を設け、かつ前記ファンケースの吸気口と前記カバーの空気導入口とを連通し、前記ファンケースの排気口と前記カバーの排風口とを連通したことを特徴とする。
【００１２】
この第１の構成においては、モータを回転してファンを回すと、ファンの一方が陰圧、他方が陽圧になる。これにより、ファンケースの吸気口側から空気が吸い込まれ、排気口から空気が排出される。そうすると、ファンケースの吸気口と連通しているカバーの上面および下面に設けられた空気導入口から床下内部の空気が吸い込まれ、ファンケースの排気口と連通しているカバーの前後面に設けられた排風口から床下内部空間に空気が排出される。このように、カバーの上下面から床下の湿った空気を吸引し、カバーの前後面から排風するため、床下の空気の循環がよくなる。床下には側壁に換気口が設けられているため、湿った空気は外部に排気され、床下の土や床下コンクリートの乾燥が促進される。
【００１３】
本発明の第２の構成は、前記ファンをシロッコファンとしたものであり、換気が強力に行われる。
本発明の第３の構成は、前記ファンケースの吸気口にフィルタを着脱可能に設けたものであり、床下のクモの巣や虫などがファンに侵入することを防止して、機構部のトラブルとなることを防止できる。
本発明の第４の構成は、前記モータの回転軸の両端にファンを取り付け、それぞれのファンの周囲にファンケースを設けることで、送風能力を強力とすることができる。
本発明の第５の構成は、前記機台の底部を、床下の床面に対して前記カバーの底部が所定の距離を隔てて位置するように固定ブロックに取り付けることで、カバーの底部の空気導入口と床面との間隔を一定に保った状態で設置することができる。
【発明の効果】
【００１４】
本発明によれば、次の効果を奏する。
（１）カバーの上下面から床下の湿った空気を吸引し、カバーの前後面から排風するため、床下の空気の循環がよくなり、そのために床下の湿気を強力に排除でき、消費電力も低減できる床下送風乾燥機が得られる。また、モータは１台でいいため、構造が簡単であり、故障も少なくコストも低減できる。
（２）ファンをシロッコファンとすることで、ひねり羽根式のファンに比べて換気が強力に行われる。
（３）ファンケースの吸気口にフィルタを着脱可能に設けることにより、床下のクモの巣や虫などがファンに侵入することを防止して、機構部のトラブルとなることを防止できる。
（４）モータの回転軸の両端にファンを取り付け、それぞれのファンの周囲にファンケースを設けることで、送風能力を強力とすることができる。
（５）機台の底部を、床下の床面に対してカバーの底部が所定の距離を隔てて位置するように固定ブロックに取り付けることで、カバーの底部の空気導入口と床面との間隔を一定に保った状態で設置することができる。
【発明を実施するための最良の形態】
【００１５】
以下、本発明の実施の形態を、図面を用いて説明する。
図１および図２は本発明に係る床下送風乾燥機の外観を示す図であり、図１（ａ）は正面図、図１（ｂ）は平面図、図２（ａ）は側面図、図２（ｂ）は底面図である。また図３は上部カバーおよび側部カバーを取り外した状態のベースアセンブリを示すもので、（ａ）は正面図、（ｂ）は平面図、（ｃ）は側面図である。図４はファンアセンブリを示すもので、（ａ）は正面図、（ｂ）は平面図、（ｃ）は側面図である。
【００１６】
図１および図２において、機台を構成する固定板１の上部には底部カバー２がネジ等で固定され、底部カバー２には側部カバー３，４がネジ等で固定され、側部カバー３，４には前カバー５，後カバー６および上部カバー７がネジ等で固定されている。固定板１は、ボルト８およびナット９により固定ブロック１０に固定されている。図１に（ａ）に示すように、前カバー５には排風口５ａが設けられており、図示しないが、後カバー６にも排風口６ａが設けられている。図１（ｂ）に示すように、上部カバー７には空気導入口７ａが設けられ、図２（ｂ）に示すように、底部カバー２にも空気導入口２ａが設けられている。側部カバー３，４には持ち運び時に指をかけるための取っ手部３ａ，４ａが設けられている。底部カバー２からは、外部の電源に接続するための電源コード１１が導出されており、屋外の制御盤等に接続されている。図中１２，１３は銘板である。
この実施形態では全体を８角柱状としているが、これは製造しやすさを考慮したもので、直方体、円柱状でもよい。
【００１７】
次に、図３を参照してベースアセンブリの構成を説明する。上部カバー７と前カバー５，後カバー６を取り外すと、内部にファンアセンブリが取り付けられていることがわかる。側部カバー３，４の周縁はＬ字状に折り曲げられた部分を有しており、その折り曲げられた部分に、底部カバー２、前カバー５、後カバー６、上部カバー７の縁部を重ね、ネジ等で固定することで組み立てるようにしている。
【００１８】
次いで、図３および図４を参照して、ファンアセンブリの構成を説明する。ファンアセンブリは、モータ２１と、モータ２１の前後面に固定されたモータ取付板２２，２３と、モータ２１の両側から突出している回転軸の両端部に取り付けられたシロッコファン２４，２５と、シロッコファン２４，２５の周囲を取り囲むようにモータ取付板２２，２３に取り付けられたファンケース２６，２７とを有している。
【００１９】
ファンケース２６，２７の前方および後方には排気口２６ａ，２７ａが形成されており、側部には吸気口２６ｂ，２７ｂが設けられている。排気口２６ａ、２７ａには、排気を整流するための案内板２６ｃ，２７ｃが設けられている。吸気口２６ｂ、２７ｂには、フィルタ２８を取り付けるためのフィルタ取付部２９が設けられている。
【００２０】
以上の構成のファンアセンブリが、図３に示すように底部カバー２にモータ取付板２２，２３をネジ止めすることでベースアセンブリとして組み立てられる。
これらの部品は、湿気の多い床下に設置されるため、ステンレス製、またはプラスチック製、ないし防錆加工されたものを用いる。
【００２１】
次に、以上の構成の床下送風乾燥機の動作について説明する。
屋内等に設置された制御盤のスイッチを入れると、電源コード１１を介してモータ２１の回転軸が回転し、シロッコファン２５，２６が回る。そうすると、シロッコファン２５，２６の遠心力により、ファンケース２６，２７の排気口２６ｂ，２７ｂから空気が排気される。シロッコファン２５，２６の中心部が陰圧になるため、ファンケース２６，２７の吸気口２６ｂ，２７ｂからフィルタ２８を介して外部の空気が導入される。吸気口２６ｂ，２７ｂは、底部カバー２および上部カバー７に形成されている空気導入口２ａ，７ａと連通しているため、外部の空気がこれらの空気導入口２ａ，７ａから導入される。したがって、床下の地面や床コンクリートに接している空気、および床下の上部の空気が吸い込まれる。一方、ファンケース２６，２７の排気口２６ａ，２７ａから排出された空気は、前カバー５および後カバー６に形成された排風口５ａ，６ａから水平方向に排出される。水平方向に排出された風は、一部は床下の側壁に設けられた換気口から外部に排出される。
【００２２】
このように、カバーの上下面から床下の湿った空気を吸引し、カバーの前後面から排風するため、床下の空気の循環がよくなる。床下には側壁に換気口が設けられているため、湿った空気は外部に排気され、床下の土や床下コンクリートの乾燥が促進される。
【００２３】
本実施形態に用いた床下送風乾燥機の能力を測定したところ、次のデータが得られた。
最大静圧    ５０Ｈｚ  ３．８  ｍｍＡｑ  ６０Ｈｚ  ５．５ｍｍＡｑ
最大風量    ５０Ｈｚ  ２１５ｍ３／ｈｒ   ６０Ｈｚ  ２４５ｍ３／ｈｒ
この床下送風乾燥機を用いて８畳の床下の中央に設置して運転したところ、２週間で床下の土が乾燥し、設置前のべたべたの状態の土が乾いた。
【産業上の利用可能性】
【００２４】
本発明は、家屋の床下に空気の流れを作って床下の土や床コンクリートを強力に乾燥するための床下送風乾燥機として有用に適用することができる。
【図面の簡単な説明】
【００２５】
【図１】本発明に係る床下送風乾燥機の外観を示す図であり、（ａ）は正面図、（ｂ）は平面図である。
【図２】本発明に係る床下送風乾燥機の外観を示す図であり、（ａ）は側面図、（ｂ）は底面図である。
【図３】上部カバーおよび側部カバーを取り外した状態のベースアセンブリを示すもので、（ａ）は正面図、（ｂ）は平面図、（ｃ）は側面図である。
【図４】ファンアセンブリを示すもので、（ａ）は正面図、（ｂ）は平面図、（ｃ）は側面図である。
【符号の説明】
【００２６】
１  固定板（機台）
２  底部カバー
２ａ  空気導入口
３，４  側部カバー
３ａ，４ａ  取っ手部
５  前カバー
５ａ  排風口
６  後カバー
７  上部カバー
７ａ  空気導入口
８  ボルト
９  ナット
１０  固定ブロック
１１  電源コード
１２，１３  銘板
２１  モータ
２２，２３  モータ取付板
２４，２５  シロッコファン
２６，２７  ファンケース
２６ａ，２７ａ  排気口
２６ｂ，２７ｂ  吸気口
２６ｃ，２７ｃ  案内板
２８  フィルタ
２９  フィルタ取付部
【図１】
2005090791.tif 000003
【図２】
2005090791.tif 000004
【図３】
2005090791.tif 000005
【図４】
2005090791.tif 000006